(57)【要約】【課題】一のリレーを他のリレーに交換する際の作業効率を向上させることができる変換アダプタを提供する。【解決手段】Ｃ形時素リレー４０の端子を接続するための端子差込口３１が配設されているＣ形ジャック板３０に着脱自在に装着される変換アダプタ１であって、一方の面にＡ形デジタル時素リレー５０の端子を接続するＣ形ジャック板３０の端子差込口３１とは構造が異なる端子差込口１２ａが配設され、他方の面に当該端子差込口１２ａに対応する配線接続用の端子片１２ｂが配設されているＡ形ジャック板１２と、Ａ形ジャック板１２の端子片１２ｂと電気的に接続され、Ｃ形ジャック板３０の端子差込口３１に差し込まれる差込端子１７ａと、を備える。【選択図】図１
2019220249.tif 000002
【特許請求の範囲】
【請求項１】
第１リレーの端子を接続するための第１端子差込口が配設されている第１ジャック板に着脱自在に装着される変換アダプタであって、
一方の面に第２リレーの端子を接続する前記第１端子差込口とは構造が異なる第２端子差込口が配設され、他方の面に当該第２端子差込口に対応する配線接続用の端子片が配設されている第２ジャック板と、
前記第２ジャック板の端子片と電気的に接続され、前記第１ジャック板の第１端子差込口に差し込まれる差込端子と、
を備えていることを特徴とする変換アダプタ。
【請求項２】
前記第２リレーは、互いに種類が異なる複数のリレーで構成され、
前記第２ジャック板は、前記複数のリレーのそれぞれに対応する複数のジャック板で構成され、
前記差込端子は、前記複数のジャック板の各端子片と電気的に接続され、前記第１ジャック板の第１端子差込口に差し込まれることを特徴とする請求項１に記載の変換アダプタ。
【請求項３】
前記第１ジャック板に装着可能な螺子受け部材を更に備え、
前記螺子受け部材は、
前記第１ジャック板にアダプタ本体を固定する際に用いられる固定用スタッドを受け入れる雌螺子と、
筒状部と、を具備し、
前記第１ジャック板に前記第１リレーを固定する際に用いられる固定用スタッドを受け入れる雌螺子が形成された棒状部に前記筒状部を嵌合させることにより前記第１ジャック板に装着されることを特徴とする請求項２に記載の変換アダプタ。
【請求項４】
前記アダプタ本体は、前記第２リレーとしての複数のリレーを配設する配設面が段状に形成されていることを特徴とする請求項３に記載の変換アダプタ。
【請求項５】
前記第１リレーは、非デジタル時素リレーであり、
前記第２リレーとしての複数のリレーは、デジタル時素リレーと前記デジタル時素リレーに倣って動作する反応リレーであることを特徴とする請求項２〜４のいずれか一項に記載の変換アダプタ。
【請求項６】
所定の端子を前記第２リレーの配設面側に備えることを特徴とする請求項１〜５のいずれか一項に記載の変換アダプタ。
【発明の詳細な説明】
【技術分野】
【０００１】
本発明は、変換アダプタに関する。
【背景技術】
【０００２】
従来、鉄道における踏切しゃ断機の制御は、各種のリレーを用いて行われる。これらのリレーは、線路わきに設置された器具箱内に設置されているジャック板（例えば、特許文献１参照）に取り付けられるようになっている。
【先行技術文献】
【特許文献】
【０００３】
【特許文献１】特開２０００−１１３７８６号公報
【発明の概要】
【発明が解決しようとする課題】
【０００４】
ところで、上記のジャック板は、器具箱内の限られたスペースに多数設置されているが、例えば、一のリレーを他のリレーに交換しようとした際、それぞれのリレーを取り付けるジャック板が異なる場合には、リレーの交換に伴い、ジャック板に接続された配線も変更しなければならず、作業効率が低下してしまうという課題がある。
【０００５】
本発明は、上記課題に鑑みてなされたもので、一のリレーを他のリレーに交換する際の作業効率を向上させることができる変換アダプタを提供することを目的とする。
【課題を解決するための手段】
【０００６】
上記課題を解決するため、この発明は、
第１リレーの端子を接続するための第１端子差込口が配設されている第１ジャック板に着脱自在に装着される変換アダプタであって、
一方の面に第２リレーの端子を接続する前記第１端子差込口とは構造が異なる第２端子差込口が配設され、他方の面に当該第２端子差込口に対応する配線接続用の端子片が配設されている第２ジャック板と、
前記第２ジャック板の端子片と電気的に接続され、前記第１ジャック板の第１端子差込口に差し込まれる差込端子と、
を備えていることを特徴としている。
【０００７】
この構成によれば、第１ジャック板に取り付けられている第１リレーを取り外し当該第１ジャック板に変換アダプタを取り付けた後、変換アダプタに配設された第２ジャック板に第２リレーを取り付けることによって、第１リレーを第２リレーに交換することができる。
したがって、第１リレーを第２リレーに交換する際に、第１ジャック板を変更する必要が無いので、第１ジャック板に接続された配線を変更する手間を省くことができ、第１リレーを第２リレーに交換する際の作業効率を向上させることができる。また、第１ジャック板に接続された配線を変更する手間を省くことによって、誤配線や配線抜け等の虞がなくなるので、第１リレーを第２リレーに交換することに伴う障害リスクを低減することができる。
【０００８】
好ましくは、前記第２リレーは、互いに種類が異なる複数のリレーで構成され、
前記第２ジャック板は、前記複数のリレーのそれぞれに対応する複数のジャック板で構成され、
前記差込端子は、前記複数のジャック板の各端子片と電気的に接続され、前記第１ジャック板の第１端子差込口に差し込まれるように構成されるとよい。
【０００９】
この構成によれば、第１リレーを第２リレーに交換する際に、変換アダプタを介することによって、第２リレーである互いに種類が異なる複数のリレーを第１ジャック板上に集約することができるので、省スペース化を図ることができる。
【００１０】
また、好ましくは、前記第１ジャック板に装着可能な螺子受け部材を更に備え、
前記螺子受け部材は、
前記第１ジャック板にアダプタ本体を固定する際に用いられる固定用スタッドを受け入れる雌螺子と、
筒状部と、を具備し、
前記第１ジャック板に前記第１リレーを固定する際に用いられる固定用スタッドを受け入れる雌螺子が形成された棒状部に前記筒状部を嵌合させることにより前記第１ジャック板に装着されるように構成されるとよい。
【００１１】
この構成によれば、第１リレーを第１ジャック板に固定する際に用いられる固定用スタッドの配設位置と、アダプタ本体を第１ジャック板に固定する際に用いられる固定用スタッドの配設位置と、が互いに異なる場合でも、螺子受け部材を用いることによって、第１ジャック板にアダプタ本体を好適に固定することができる。
また、螺子受け部材の筒状部を第１ジャック板の棒状部に嵌合させることにより、当該螺子受け部材を第１ジャック板に装着する際の位置決めを行うことができるので、第１ジャック板の適切な位置に螺子受け部材を容易に装着することができる。
【００１２】
また、好ましくは、前記アダプタ本体は、前記第２リレーとしての複数のリレーを配設する配設面が段状に形成されるように構成されるとよい。
【００１３】
この構成によれば、アダプタ本体に実装された各リレーの前端面のバラつきを抑制することができるので、各リレーの保守性を向上させることができる。
【００１４】
また、好ましくは、前記第１リレーは、非デジタル時素リレーとし、
前記第２リレーとしての複数のリレーは、デジタル時素リレーと前記デジタル時素リレーに倣って動作する反応リレーとして構成されるとよい。
【００１５】
この構成によれば、非デジタル時素リレーをデジタル時素リレーに交換する際に、当該デジタル時素リレーに倣って動作する反応リレーも実装されることとなるので、交換されたデジタル時素リレーの雷サージ等による接点溶着を防止することができる。
したがって、雷サージ等による影響を受けやすい外線混在回路であっても、非デジタル時素リレーをデジタル時素リレーに交換することができる。
【００１６】
また、好ましくは、所定の端子を前記第２リレーの配設面側に備えるように構成されるとよい。
【００１７】
この構成によれば、外部機器と所定の端子を介して電気的に接続する際の作業効率を向上させることができる。
【発明の効果】
【００１８】
本発明によれば、第１ジャック板に取り付けられている第１リレーを取り外し当該第１ジャック板に変換アダプタを取り付けた後、変換アダプタに配設された第２ジャック板に第２リレーを取り付けることによって、第１リレーを第２リレーに交換することができる。
したがって、第１リレーを第２リレーに交換する際に、第１ジャック板を変更する必要が無いので、第１ジャック板に接続された配線を変更する手間を省くことができ、第１リレーを第２リレーに交換する際の作業効率を向上させることができる。また、第１ジャック板に接続された配線を変更する手間を省くことによって、誤配線や配線抜け等の虞がなくなるので、第１リレーを第２リレーに交換することに伴う障害リスクを低減することができる。
【図面の簡単な説明】
【００１９】
【図１】本実施の形態に係る変換アダプタの構成の一例を示す分解斜視図である。
【図２】（ａ）はアダプタ本体の正面図、（ｂ）はアダプタ本体の裏面図である。
【図３】変換アダプタの内部配線の様子を示す概略図である。
【図４】Ｃ形ジャック板にＣ形時素リレーが取り付けられている状態を示す斜視図である。
【図５】変換アダプタの取付過程を説明するための図である。
【図６】Ｃ形ジャック板に変換アダプタを介してＡ形デジタル時素リレー及びＦ形反応リレーが取り付けられている状態を示す斜視図である。
【発明を実施するための形態】
【００２０】
以下、添付図面を参照して本発明に係る実施の形態を詳細に説明する。なお、本発明は、図示例に限定されるものではない。
【００２１】
［変換アダプタの構成］
先ず、図１〜図３を参照して、本実施の形態の変換アダプタ１の構成を説明する。図１は、変換アダプタ１の構成の一例を示す分解斜視図である。図２（ａ）は、アダプタ本体１０の正面図であり、同図（ｂ）は、アダプタ本体１０の裏面図である。図３は、変換アダプタ１の内部配線の様子を示す概略図である。
本実施の形態の変換アダプタ１は、旧ＪＲＳ規格Ｃ形（Ｗ１４７ｍｍ×Ｈ１４７ｍｍ×Ｄ２００ｍｍ）の従来の時素リレー（第１リレー）を旧ＪＲＳ規格Ａ形（Ｗ１４７ｍｍ×Ｈ７４ｍｍ×Ｄ１６７ｍｍ）のデジタル時素リレー（第２リレー）に交換する際に用いられるアダプタであり、Ｃ形ジャック板（第１ジャック板）３０に取り付けられる。
【００２２】
図１に示すように、変換アダプタ１は、アダプタ本体１０と、スタッド位置変換金具（螺子受け部材）２０と、を備えている。
【００２３】
アダプタ本体１０は、図２（ａ）及び図２（ｂ）に示すように、アダプタケース１１と、Ａ形ジャック板（第２ジャック板）１２と、Ｆ形ジャック板（第２ジャック板）１３と、ロック用スタッド（固定用スタッド）１４と、測定端子１５と、電源入力端子１６と、差込端子板１７と、裏面カバー１８と、を備えている。
【００２４】
アダプタケース１１は、各部品を実装するためのケースである。アダプタケース１１は、図１に示すように、前面が段状に形成されており、この前面の上側部分が下側部分よりも前方に突出するように形成されている。このように、アダプタケース１１の前面を段状に形成しているのは、アダプタケース１１の前面にＡ形デジタル時素リレー５０とＦ形反応リレー６０とがそれぞれ実装された際に（図３参照）、Ａ形デジタル時素リレー５０の前端面とＦ形反応リレー６０の前端面とのバラつきを抑制することによって各リレーの保守性を向上させるためである。
また、アダプタケース１１は、図２（ｂ）に示すように、裏面が開口しており、差込端子板１７及び裏面カバー１８によって、裏面の開口が塞がれるようになっている。
【００２５】
Ａ形ジャック板１２は、第２リレーとしての旧ＪＲＳ規格Ａ形（Ｗ１４７ｍｍ×Ｈ７４ｍｍ×Ｄ１６７ｍｍ）の直流リレー（例えば、Ａ形デジタル時素リレー５０）を取り付けるためのジャック板である。Ａ形ジャック板１２は、図２（ａ）に示すように、前面に、Ａ形リレーの端子が差し込まれる複数の端子差込口（第２端子差込口）１２ａを有し、裏面に、配線接続用に突出した複数の端子片１２ｂ（図３参照）を有している。図１に示すように、Ａ形ジャック板１２とＣ形ジャック板３０とでは、互いに端子差込口のレイアウト（構造）が異なっており、Ａ形ジャック板１２の端子差込口１２ａに異種のリレー（例えば、Ｃ形リレー）の端子を接続することができないようになっている。Ａ形ジャック板１２は、アダプタケース１１の前面の下側部分に配設される。
【００２６】
Ｆ形ジャック板１３は、第２リレーとしての旧ＪＲＳ規格Ｆ形（Ｗ５８ｍｍ×Ｈ９６ｍｍ×Ｄ１４６ｍｍ）の直流リレー（例えば、Ｆ形反応リレー６０）を取り付けるためのジャック板である。Ｆ形ジャック板１３は、図２（ａ）に示すように、前面に、Ｆ形リレーの端子が差し込まれる複数の端子差込口（第２端子差込口）１３ａを有し、裏面に、配線接続用に突出した複数の端子片１３ｂ（図３参照）を有している。図１に示すように、Ｆ形ジャック板１３とＣ形ジャック板３０とでは、互いに端子差込口のレイアウト（構造）が異なっており、Ｆ形ジャック板１３の端子差込口１３ａに異種のリレー（例えば、Ｃ形リレー）の端子を接続することができないようになっている。Ｆ形ジャック板１３は、アダプタケース１１の前面の上側部分に配設される。具体的には、Ｆ形ジャック板１３は、Ｆ形反応リレー６０が横向きの状態（寝かせた状態）で取り付けられるようにアダプタケース１１の前面の上側部分に配設される。
【００２７】
ロック用スタッド１４は、アダプタ本体１０をＣ形ジャック板３０に固定するための螺子である。ロック用スタッド１４は、図２（ａ）に示すように、Ｆ形ジャック板１３が配設されているアダプタケース１１の前面の上側部分のうちの左下部と右下部とにそれぞれ配設される。
【００２８】
測定端子（所定の端子）１５は、Ｆ形ジャック板１３に取り付けられたＦ形リレーのコイル電圧を測定するための端子である。測定端子１５は、図２（ａ）に示すように、アダプタケース１１の前面の上側部分に配設されたＦ形ジャック板１３の左方に配設される。なお、測定端子１５は、アダプタケース１１の前面、すなわち、Ａ形リレー（例えば、Ａ形デジタル時素リレー５０）やＦ形リレー（例えば、Ｆ形反応リレー６０）の配設面側に備えられていればよく、Ｆ形ジャック板１３の左方に配設される場合に限られない。
【００２９】
電源入力端子（所定の端子）１６は、Ａ形ジャック板１２に取り付けられたＡ形リレーに対して電源入力を行うための端子である。電源入力端子１６は、図２（ａ）に示すように、アダプタケース１１の前面の上側部分に配設されたＦ形ジャック板１３の右方に配設される。なお、電源入力端子１６は、アダプタケース１１の前面、すなわち、Ａ形リレー（例えば、Ａ形デジタル時素リレー５０）やＦ形リレー（例えば、Ｆ形反応リレー６０）の配設面側に備えられていればよく、Ｆ形ジャック板１３の右方に配設される場合に限られない。また、電源入力端子１６は、制御入力とは別に緩放時素を刻むための電源を入力するための端子であるため、交換対象のＣ形リレー（例えば、Ｃ形時素リレー）が緩放リレーでない場合、アダプタ本体１０は、電源入力端子１６を備えなくてもよい。
【００３０】
差込端子板１７は、図２（ｂ）及び図３に示すように、Ｃ形ジャック板３０の端子差込口（第１端子差込口）３１に差し込まれる複数の差込端子１７ａを有している。また、差込端子板１７は、アダプタケース１１裏面の開口のうち上部の開口部分を塞ぐ役目を果たしている。各差込端子１７ａは、差込端子板１７を貫通するようにして設けられており、端子差込口３１に差し込まれる一端とは反対側の他端において、Ａ形ジャック板１２の裏面に設けられた端子片１２ｂ、及び、Ｆ形ジャック板１３の裏面に設けられた端子片１３ｂとそれぞれ配線接続がなされている。なお、差込端子板１７の配設位置は、上記配線接続がなされた際の配線Ｃの許容曲げ半径を満たすように調整されている。
【００３１】
裏面カバー１８は、図２（ｂ）に示すように、アダプタケース１１裏面の開口のうち下部の開口部分を塞ぐためのカバーである。裏面カバー１８は、上端左側及び上端右側のそれぞれの縁に、ロック用スタッド１４をアダプタケース１１の前面側から裏面側へ挿通させるための切欠１８ａが施されている。
【００３２】
スタッド位置変換金具（螺子受け部材）２０は、図５に示すように、アダプタ本体１０をＣ形ジャック板３０に固定する際に、ロック用スタッド１４が受け入れられる雌螺子２２ａの位置を調整するための金具である。
Ｃ形ジャック板３０のガイド棒（棒状部）３２に形成されている雌螺子３２ａは、Ｃ形のリレー（例えば、Ｃ形時素リレー４０）に備えられているロック用スタッド４１（図４参照）を受け入れるために設けられた雌螺子であり、アダプタ本体１０に備えられているロック用スタッド１４には対応していない。そこで、スタッド位置変換金具２０をＣ形ジャック板３０に取り付けることによって、アダプタ本体１０に備えられているロック用スタッド１４の位置と対応する位置に雌螺子２２ａが配設されるように調整している。
【００３３】
具体的には、スタッド位置変換金具２０は、図１に示すように、Ｃ形ジャック板３０に設けられている各ガイド棒３２に被せるための筒状部２１と、各筒状部２１をつなぐブリッジ状の連結部２２と、を備えている。
筒状部２１は、一端に抜け止め螺子２１ａを有している。これにより、図５に示すように、抜け止め螺子２１ａが設けられている側とは反対側の端部よりガイド棒３２を受け入れた後、抜け止め螺子２１ａを雌螺子３２ａにねじ込むことで、スタッド位置変換金具２０をＣ形ジャック板３０に固定することができるようになっている。
連結部２２は、両端部にロック用スタッド１４を受け入れるための雌螺子２２ａが形成されている。つまり、スタッド位置変換金具２０は、Ｃ形ジャック板３０にアダプタ本体１０を固定する際に用いられるロック用スタッド１４を受け入れる雌螺子２２ａを具備したこととなる。
【００３４】
［変換アダプタ取付方法］
次に、従来の時素リレーであるＣ形時素リレー４０をＡ形デジタル時素リレー５０に交換する際の変換アダプタ１の取付方法について、図４〜図６を参照して説明する。
図４は、Ｃ形ジャック板３０にＣ形時素リレー４０が取り付けられている状態を示す斜視図である。図５は、変換アダプタ１の取付過程を説明するための図である。図６は、Ｃ形ジャック板３０に変換アダプタ１を介してＡ形デジタル時素リレー５０及びＦ形反応リレー６０が取り付けられている状態を示す斜視図である。
【００３５】
変換アダプタ１をＣ形ジャック板３０に取り付けるにあたり、先ず、図４に示すように、Ｃ形時素リレー４０をＣ形ジャック板３０に取り付ける際に用いられたロック用スタッド４１を緩めることにより、Ｃ形ジャック板３０からＣ形時素リレー４０を取り外す。なお、ロック用スタッド４１は、Ｃ形ジャック板３０のガイド棒３２に形成された雌螺子３２ａに螺合されるようになっている（図１、図５参照）。
【００３６】
次いで、Ｃ形時素リレー４０が取り外されたＣ形ジャック板３０にスタッド位置変換金具２０を取り付ける。
具体的には、図１及び図５に示すように、Ｃ形ジャック板３０の各ガイド棒３２にスタッド位置変換金具２０の各筒状部２１を嵌合させた後、各ガイド棒３２に形成された雌螺子３２ａに抜け止め螺子２１ａを螺合させることによって、Ｃ形ジャック板３０にスタッド位置変換金具２０を固定する。そして、アダプタ本体１０の差込端子板１７に設けられた各差込端子１７ａがＣ形ジャック板３０の端子差込口３１に差し込まれるようにしてＣ形ジャック板３０にアダプタ本体１０を取り付ける。そして、アダプタ本体１０に備えられた各ロック用スタッド１４をスタッド位置変換金具２０の連結部２２に形成された各雌螺子２２ａに螺合させることによって、Ｃ形ジャック板３０にアダプタ本体１０を固定する。
【００３７】
次いで、図６に示すように、アダプタ本体１０に配設されたＡ形ジャック板１２にＡ形デジタル時素リレー５０を取り付けるとともに、Ｆ形ジャック板１３にＦ形反応リレー６０を取り付ける。
【００３８】
以上のように、本実施の形態の変換アダプタ１によれば、Ｃ形ジャック板３０に取り付けられているＣ形時素リレー４０を取り外し当該Ｃ形ジャック板３０に変換アダプタ１を取り付けた後、変換アダプタ１に配設されたＡ形ジャック板１２にＡ形デジタル時素リレー５０を取り付けることによって、Ｃ形時素リレー４０をＡ形デジタル時素リレー５０に交換することができる。したがって、Ｃ形時素リレー４０をＡ形デジタル時素リレー５０に交換する際に、Ｃ形ジャック板３０を変更する必要が無いので、Ｃ形ジャック板３０に接続された配線を変更する手間を省くことができ、Ｃ形時素リレー４０をＡ形デジタル時素リレー５０に交換する際の作業効率を向上させることができる。また、Ｃ形ジャック板３０に接続された配線を変更する手間を省くことによって、誤配線や配線抜け等の虞がなくなるので、Ｃ形時素リレー４０をＡ形デジタル時素リレー５０に交換することに伴う障害リスクを低減することができる。
【００３９】
また、本実施の形態の変換アダプタ１によれば、Ｃ形時素リレー４０をＡ形デジタル時素リレー５０に交換する際に、変換アダプタ１を介することによって、Ａ形デジタル時素リレー５０だけでなくＦ形反応リレー６０もＣ形ジャック板３０上に集約することができるので、省スペース化を図ることができる。また、Ｃ形時素リレー４０をＡ形デジタル時素リレー５０に交換する際に、Ａ形デジタル時素リレー５０だけでなくＦ形反応リレー６０も実装することによって、交換されたＡ形デジタル時素リレー５０の雷サージ等による接点溶着を防止することができるので、雷サージ等による影響を受けやすい外線混在回路であっても、Ｃ形時素リレー４０をＡ形デジタル時素リレー５０に交換することができる。
【００４０】
また、本実施の形態の変換アダプタ１によれば、Ｃ形時素リレー４０をＣ形ジャック板３０に固定する際に用いられるロック用スタッド４１の配設位置と、アダプタ本体１０をＣ形ジャック板３０に固定する際に用いられるロック用スタッド１４の配設位置と、が互いに異なる場合でも、スタッド位置変換金具２０を用いることによって、Ｃ形ジャック板３０にアダプタ本体１０を好適に固定することができる。
【００４１】
また、本実施の形態の変換アダプタ１によれば、スタッド位置変換金具２０の筒状部２１をＣ形ジャック板３０のガイド棒３２に嵌合させることにより、当該スタッド位置変換金具２０をＣ形ジャック板３０に取り付ける際の位置決めを行うことができるので、Ｃ形ジャック板３０の適切な位置にスタッド位置変換金具２０を容易に取り付けることができる。
【００４２】
また、本実施の形態の変換アダプタ１によれば、アダプタ本体１０のアダプタケース１１は、Ａ形デジタル時素リレー５０及びＦ形反応リレー６０の配設面が段状に形成されているので、アダプタ本体１０に実装された各リレーの前端面のバラつきを抑制することができ、各リレーの保守性を向上させることができる。
【００４３】
また、本実施の形態の変換アダプタ１によれば、Ｆ形反応リレー６０のコイル電圧を測定するための測定端子１５を当該Ｆ形反応リレー６０の配設面側に備えるように構成されているので、Ｆ形反応リレー６０のコイル電圧の測定に係る作業効率を向上させることができる。
【００４４】
また、本実施の形態の変換アダプタ１によれば、Ａ形デジタル時素リレー５０に対して電源入力を行うための電源入力端子１６を当該Ａ形デジタル時素リレー５０の配設面側に備えるように構成されているので、Ａ形デジタル時素リレー５０に対する電源入力を行い易くすることができる。
【００４５】
以上、本発明を実施形態に基づいて具体的に説明してきたが、本発明は上記実施形態に限定されるものではなく、その要旨を逸脱しない範囲で変更可能である。
例えば、上記実施形態では、第２リレーとして、互いに種類が異なるＡ形デジタル時素リレー５０とＦ形反応リレー６０の２つのリレーを例示したが、当該第２リレーは、例えば、Ａ形デジタル時素リレー５０だけでもよいし、互いに種類が異なる３つ以上のリレーであってもよい。
【００４６】
また、上記実施形態において、スタッド位置変換金具２０は、アダプタ本体１０がＣ形ジャック板３０から取り外される際に当該スタッド位置変換金具２０もＣ形ジャック板３０から取り外す旨の指示が記された銘板を更に具備するように構成されてもよい。この構成によれば、アダプタ本体１０がＣ形ジャック板３０から取り外される際に、スタッド位置変換金具２０もＣ形ジャック板３０から取り外すよう促すことができるので、スタッド位置変換金具２０の取り忘れを防止することができる。
【符号の説明】
【００４７】
１      変換アダプタ
１０    アダプタ本体
１１    アダプタケース
１２    Ａ形ジャック板（第２ジャック板）
１２ａ  端子差込口（第２端子差込口）
１２ｂ  端子片
１３    Ｆ形ジャック板（第２ジャック板）
１３ａ  端子差込口（第２端子差込口）
１３ｂ  端子片
１４    ロック用スタッド（固定用スタッド）
１５    測定端子（所定の端子）
１６    電源入力端子（所定の端子）
１７    差込端子板
１７ａ  差込端子
１８    裏面カバー
２０    スタッド位置変換金具（螺子受け部材）
２１    筒状部
２１ａ  抜け止め螺子
２２    連結部
２２ａ  雌螺子
３０    Ｃ形ジャック板（第１ジャック板）
３１    端子差込口（第１端子差込口）
３２    ガイド棒（棒状部）
３２ａ  雌螺子
４０    Ｃ形時素リレー（第１リレー）
５０    Ａ形デジタル時素リレー（第２リレー）
６０    Ｆ形反応リレー（第２リレー）
【図１】
2019220249.tif 000003
【図２】
2019220249.tif 000004
【図３】
2019220249.tif 000005
【図４】
2019220249.tif 000006
【図５】
2019220249.tif 000007
【図６】
2019220249.tif 000008